(57)【要約】【課題】シャッターケースが半軒天収納のような場合であっても、巻取シャフトや開閉機のメンテナンスを良好に行うことできるサイドキャップを提供する。【解決手段】巻取シャフト２の長さ方向両端を支持するブラケット１に被着されるサイドキャップ８は、ブラケット１に被着された状態で上下方向かつ前後方向に延びる面部８０と、ブラケット１の周縁の少なくとも一部を覆う縁部と、からなり、サイドキャップ８の前側かつ下側に位置する部位は、前記面部及び前記縁部の一部を形成する分割部９となっており、分割部９は、当該分割部以外の本体部８´に対して着脱可能に構成されている。【選択図】図１７
2019116776.tif 000002
【特許請求の範囲】
【請求項１】
巻取シャフトの長さ方向両端を支持するブラケットに被着されるサイドキャップは、ブラケットに被着された状態で上下方向かつ前後方向に延びる面部と、ブラケットの周縁の少なくとも一部を覆う縁部と、からなり、
前記サイドキャップの前側かつ下側に位置する部位は、前記面部及び前記縁部の一部を形成する分割部となっており、
前記分割部は、当該分割部以外の本体部に対して着脱可能に構成されている、
サイドキャップ。
【請求項２】
前記分割部は、前記面部の一部を形成する分割面部を備えており、
前記本体部は、前記サイドキャップの前側かつ上側に位置する前側部位と、当該前側部位以外の後側部位と、からなり、
前記分割部が前記本体部に装着された状態において、前記分割面部の上端部が前記前側部位の下端部に当接し、前記分割面部の後端部が前記後側部位の前端部に当接する、
請求項１に記載のサイドキャップ。
【請求項３】
前記分割部の分割面部の上端部には、上方へ突出する上方突片が形成され、
前記本体部の前側部位の下端部には、下方へ突出する下方突片が形成され、
前記分割部が前記本体部に装着された状態において、前記上方突片が前記前側部位の内側に当接し、前記下方突片が前記分割部の内側に当接する、
請求項２に記載のサイドキャップ。
【請求項４】
前記上方突片と前記前側部位の内側の当接、前記下方突片と前記分割部の内側の当接の少なくとも一方は係合状態にある、請求項３に記載のサイドキャップ。
【請求項５】
前記本体部の下方突片は螺子によって前記ブラケットに固定されている、
請求項３、４いずれか１項に記載のサイドキャップ。
【請求項６】
前記分割部は、前記縁部の一部を形成する分割下縁部を備えており、前記分割下縁部の後端には上方へ突出する係止突片が形成されており、
前記本体部の後側部位の前端かつ下端には係止受部が形成されており、
前記分割部が前記本体部に装着された状態において、前記係止突片が前記係止受部に係止する、
請求項２〜５いずれか１項に記載のサイドキャップ。
【請求項７】
前記分割部は、前記縁部の一部を形成する分割下縁部を備えており、
前記分割部が前記本体部に装着された状態において、前記分割下縁部が螺子によって前記ブラケットに固定される、
請求項１〜６いずれか１項に記載のサイドキャップ。
【請求項８】
前記サイドキャップには、前記分割面部の上端部と前記前側部位の下端部の当接部に位置して水平方向に延びる凹部が形成されており、
前記当接部は、前記凹部の上端部位に沿って延びている、
請求項２〜７（請求項２を従属するものに限る）いずれか１項に記載のサイドキャップ。
【発明の詳細な説明】
【技術分野】
【０００１】
本発明は、窓シャッターのサイドキャップに関するものである。
【背景技術】
【０００２】
上下に分割可能に構成したシャッターケースを備えた窓シャッターにおいて、巻取シャフトの両端を支持するブラケットに取り付けられるサイドキャップを、上サイドキャップと下サイドキャップから構成したものが特許文献１に記載されている。
【０００３】
しかしながら、このものでは、シャッターケースが半軒天収納のような場合、または、シャッターを先付けする場合（壁を仕上げる前にシャッターケース等を先に躯体に取り付ける場合）には、巻取シャフトや開閉機のメンテナンスを行うことが困難である。
【特許文献１】特許第３０４５４８２号
【発明の開示】
【発明が解決しようとする課題】
【０００４】
本発明は、シャッターケースが半軒天収納のような場合であっても、巻取シャフトや開閉機のメンテナンスを良好に行うことできるサイドキャップを提供することを目的とするものである。
【課題を解決するための手段】
【０００５】
本発明が採用した技術手段は、
巻取シャフトの長さ方向両端を支持するブラケットに被着されるサイドキャップは、ブラケットに被着された状態で上下方向かつ前後方向に延びる面部と、ブラケットの周縁の少なくとも一部を覆う縁部と、からなり、
前記サイドキャップの前側かつ下側に位置する部位は、前記面部及び前記縁部の一部を形成する分割部となっており、
前記分割部は、当該分割部以外の本体部に対して着脱可能に構成されている、
サイドキャップ、である。
【０００６】
１つの態様では、前記分割部は、前記面部の一部を形成する分割面部を備えており、
前記本体部は、前記サイドキャップの前側かつ上側に位置する前側部位と、当該前側部位以外の後側部位と、からなり、
前記分割部が前記本体部に装着された状態において、前記分割面部の上端部が前記前側部位の下端部に当接し、前記分割面部の後端部が前記後側部位の前端部に当接する。
【０００７】
１つの態様では、前記分割部の分割面部の上端部には、上方へ突出する上方突片が形成され、
前記本体部の前側部位の下端部には、下方へ突出する下方突片が形成され、
前記分割部が前記本体部に装着された状態において、前記上方突片が前記前側部位の内側に当接し、前記下方突片が前記分割部の内側に当接する。
【０００８】
１つの態様では、前記上方突片と前記前側部位の内側の当接、前記下方突片と前記分割部の内側の当接の少なくとも一方は係合状態にある。
【０００９】
１つの態様では、前記本体部の下方突片は螺子によって前記ブラケットに固定されている。
【００１０】
１つの態様では、前記分割部は、前記縁部の一部を形成する分割下縁部を備えており、前記分割下縁部の後端には上方へ突出する係止突片が形成されており、
前記本体部の後側部位の前端かつ下端には係止受部が形成されており、
前記分割部が前記本体部に装着された状態において、前記係止突片が前記係止受部に係止する。
【００１１】
１つの態様では、前記分割部は、前記縁部の一部を形成する分割下縁部を備えており、
前記分割部が前記本体部に装着された状態において、前記分割下縁部が螺子によって前記ブラケットに固定される。
【００１２】
１つの態様では、前記サイドキャップには、前記分割面部の上端部と前記前側部位の下端部の当接部に位置して水平方向に延びる凹部が形成されており、
前記当接部は、前記凹部の上端部位に沿って延びている。
【発明の効果】
【００１３】
本発明では、サイドキャップの前側かつ下側に位置する部位を分割部として、当該分割部以外の本体部に対して着脱可能に構成したので、シャッターケースが半軒天収納のような場合（サイドキャップの一部が埋め込まれているような場合）であっても、巻取シャフトや開閉機のメンテナンスを良好に行うことできる。
【図面の簡単な説明】
【００１４】
【図１】窓シャッター装置の概略正面図である。
【図２】窓シャッター装置の縦断面図である。
【図３】図２の部分拡大図である。
【図４】窓シャッター装置の横断面図であり、左側が上方部位、右側が下方部位を示す。
【図５】窓シャッター装置の上方部位の内部を示す正面図（巻取シャフトは省略）である。
【図６】図５の部分拡大図である。
【図７】左図はブラケットの正面図、右図はブラケットを内側から見た側面図である。
【図８】開閉機の取付台を示す図である。
【図９】ガイドレール下地枠を示す図である。
【図１０】ガイドレール下地枠規制構造（アルミサッシ用）を説明する図である。
【図１１】ガイドレール下地枠規制構造（樹脂サッシ用）を説明する図である。
【図１２】ブラケットとガイドレール下地枠の隣接部位に設けたカバープレートを示す図である。
【図１３】下枠を示す図である。
【図１４】サイドキャップを示す図である。
【図１５】サイドキャップ本体部を示す図である。
【図１６】サイドキャップ分割部を示す図である。
【図１７】メンテナンス時のシャッターケース下板を取り外す工程を示す図である。
【図１８】右図は、サイドキャップ分割部の上端部の突片とサイドキャップ本体部との係合状態を示す図であり、左図は、サイドキャップ本体部の下端部の突片とブラケットとの連結状態を示す図である。
【図１９】サイドキャップ分割部の下縁部の後端に形成された係止突片とサイドキャップ本体部の後側部位の前端かつ下端に形成された係止受部との係合状態を示す図であり、左図が内側から見た側面図、右図が後から見た断面図である。
【図２０】窓シャッター装置のシャッターケースが半軒天収納の場合を示す図である。
【発明を実施するための形態】
【００１５】
図１は全閉姿勢にある窓シャッター装置を室外側から見た正面図、図２は窓シャッター装置の縦断面図である。窓シャッター装置は、建物の窓開口部に設置した窓装置（図示せず）の室外側に設けられる。なお、本実施形態では、シャッターを後付けする場合（壁を仕上げた後でシャッターを取り付ける）に係るが、本発明がシャッターを先付けする場合にも対応できることに留意されたい。
【００１６】
窓シャッター装置は、窓開口部の上方に位置して、外壁Ｗに持ち出し状に取り付けられた左右のブラケット１と、左右のブラケット１間に支持された巻取シャフト２と、外壁Ｗに対して持ち出し状に取り付けられた左右のガイドレール下地枠３と、左右のガイドレール下地枠３に支持された左右のガイドレール４と、上端が巻取シャフト２に連結されたシャッターカーテン５であって、巻取シャフト２に巻き取られ／繰り出されることで、幅方向両端部がガイドレール４に案内されながら昇降して窓開口部の室外側部位を開閉するシャッターカーテン５と、窓開口部の下方に位置して、窓装置に持ち出し状に取り付けられた下枠（水切板）６と、を備えている。窓開口部の上方に位置して、左右のブラケット１及び巻取シャフト２に巻き取られたシャッターカーテン５を収納するようにシャッターケース７が設けられ、シャッターケース７の幅方向両端部に位置してブラケット１はサイドキャップ８が被着される。
【００１７】
図７に示すように、ブラケット１は、垂直状の面部１０と、面部１０の傾斜状の上縁に沿って形成された上面１１と、面部１０の前縁（側面視凹部状）に沿って形成された上側前面１２、中間前面１３、下側前面１４と、面部１０の下縁に沿って形成された前側下面１５、中間下面１６、基端側下面１７と、面部１０の後縁に沿って形成された後面１８とからなる。中間前面１３は、ブラケット１の前縁の凹部の底面であり、下側前面１４の上端に形成された水平面１４０が凹部の下面を形成している。
【００１８】
図３、図４に示すように、ブラケット１は、後面１８を外壁Ｗに固定された引っ掛け金具２１に取り付けることで外壁Ｗに対して持ち出し状に設けられる。引っ掛け金具２１には、ブラケット１の面部１０に平行に延びる連結片２１０が形成されており、ブラケット１の面部１０と連結片２１０を螺子２１１によって固定することで、下方からの吹き上げ荷重に対抗するようにしている。
【００１９】
ブラケット１の面部１０の外面には、上側係止片１００、下側係止片１０１が形成されている。上側係止片１００は、水平片１０００と垂直状の立ち上がり片１００１から断面視Ｌ形状を備え、下側係止片１０１は、水平片１０１０と垂下片１０１１から断面視逆Ｌ形状を備えている。上側係止片１００、下側係止片１０１は、面部１０の一部を切り起して形成した切り起し片であり、面部１０には上側係止片１００、下側係止片１０１の切り起し時に形成された開口１００２、１０１２が形成されている。
【００２０】
ブラケット１の面部１０の内面の下方部位には、後側に寄った位置に開閉機Ｍを支持する取付台１９が固定されている。図８に示すように、取付台１９は、方形状のベース１９０と、ベース１９０の第１辺から立ち上がる第１垂直片１９１と、ベース１９０の第２辺から立ち上がる第２垂直片１９２とからなる。第１垂直片１９１は、ベース１９０の第１辺から立ち上がる第１部分１９１０と、ベース１９０の第１辺を越えて延びる第２部分１９１１とから横長方形状の垂直面となっている。取付台１９は第１垂直片１９１を介してブラケット１の面部１０の内面に固定され、第２垂直片１９２に対して開閉機Ｍの一端側が取り付けられる。第１垂直片１９１の第２部分１９１１は、下側係止片１０１を面部１０の内面から覆うように位置しており、下側係止片１０１近傍の開口１０１２を塞いでいる。
【００２１】
図２、図９に示すように、ガイドレール下地枠３は、窓開口部の高さ方向に垂直に延びる長尺部材であり、外壁Ｗから離間するように見込方向に延びる側辺３０と、側辺３０の先端に係止された係止部３１と、側辺３０の先端側部位３００において見付方向に延びる先端側見付片３２と、先端側見付片３２から見込方向に延びる連結片３３と、側辺３０の基端側で先端側見付片３２と反対側に延びる第１基端側見付辺３４と第１基端側見付辺３４と反対側（先端側見付辺３２と同じ側）に延びる第２基端側見付辺３５と、を備えている。ガイドレール下地枠３の上端には、シャッターカーテン５の全開時にシャッターカーテン５の下端部位に設けたブロック状の当接部５２が当接する被当接部３６０を備えたストッパ３６が取り付けられている。
【００２２】
図４に示すように、ガイドレール下地枠３は、第１基端側見付辺３４、第２基端側見付辺３５を外壁Ｗに当接させた状態で、第１基端側見付辺３４を螺子３８で外壁Ｗに固定することで取り付けられている。第２基端側見付辺３５が外壁Ｗに当接した状態において、第２基端側見付辺３５の裏面と外壁Ｗの間には隙間（空間）が形成されており、第２基端側見付辺３５の裏面には難燃性ないし不燃性の熱膨張耐火部材３７（図９参照）が高さ方向に亘って設けてある。
【００２３】
熱膨張耐火部材３７は、高さ方向に延びる長尺状の板体ないしシート体であり、窓開口部全閉状態において、火災時に熱膨張耐火部材３７が所定温度以上に加熱されると、熱膨張耐火部材３７は発泡・膨張し、ガイドレール下地枠３の熱変形等に伴って側辺３０の基端側部位と外壁Ｗとに形成され得る隙間を高さ方向に亘って閉塞し、ガイドレール下地枠３と外壁Ｗとの間からの火の回りを防止してガイドレール下地枠３の基端側部位の防火性能を確保する。
【００２４】
ガイドレール４は、窓開口部の高さ方向に垂直に延びる長尺部材であり、側辺４０と、側辺４０に対して室内側に位置する側辺４１と、底辺４２と、から平面視略コ字状の形状を有している。対向する側辺４０、４１間にシャッターカーテン５の幅方向両端部を受け入れて上下方向に案内するガイド溝が形成されている。ガイドレール４は開口全高に対応する高さを備えており、下枠６の上面６０からシャッターケース７に達するまで垂直状に延びている。ガイドレール４の上端部位は拡開状に形成されており、シャッターケース７の下方部位内に延出している。ガイドレール４の底辺４２にはガイドレール下地枠３の係止部３１に係止する係止部４３及びガイドレール下地枠３の連結片３３に連結する連結片４４が一体形成されている。ガイドレール下地枠３に連結されて支持されたガイドレール４は当業者において良く知られており、ガイドレール下地枠３とガイドレール４の連結は図示の態様に限定されるものではない。
【００２５】
シャッターカーテン５は、開口幅方向に延びる長尺状のスラット５０を上下に連結して形成されており、下端の座板５１の幅方向両端部にはブロック状の当接部５２が設けてある。シャッターカーテン５は、スラット５０の幅方向両端部がガイドレール４の溝部に案内されながら昇降して開口部を開閉する。開口部全開時にはシャッターカーテン５の下端の座板５１に設けた当接部５２がガイドレール下地枠３の上端部位に設けた被当接部３６０に当接する。開口部全閉時にはシャッターカーテン５の下端の座板５１の下方部位が下枠６の先端側の凹部（６１、６２、６３）にあいじゃくり状に受け入れられる。
【００２６】
本実施形態では、ガイドレール下地枠３は基端側において外壁Ｗ（躯体）に固定されており、また、下端において下枠６に連結（図示せず）されているが、風圧によってガイドレール下地枠３の先端側が外側に変形すると、スラット５０がガイドレール４の溝部から抜け出てしまうおそれがある。本実施形態では、ガイドレール下地枠３の外側への変形を規制して耐風圧性能を向上させるべく、ブラケット１の下端部位にガイドレール下地枠３の上端部位の変形を規制する下地枠規制構造を設けた。本実施形態では、ガイドレール下地枠３はアルミサッシ用、樹脂サッシ用の２種類が用いられ、図１０にアルミサッシ用の下地枠規制構造、図１１に樹脂サッシ用の下地枠規制構造を示す。
【００２７】
図１０に示す態様では、ブラケット１の下端部位の基端側下面１７の先端には垂下状の下地枠規制片１７０が形成されている。ブラケット１の下端とガイドレール下地枠３の上端は当接しており、下地枠規制片１７０は、ガイドレール下地枠３の側辺３０の先端側部位３００と連結片３３と先端側見付片３２で囲まれた平面視コ字状の溝部内に先端側部位と連結片３３に垂直で先端側見付片３２に平行して位置している。下地枠規制片１７０の幅方向一端は先端側部位３００に近接しており、他端は連結片３３に近接している。風圧を受けてガイドレール下地枠３の上端部位が外側に開くように変形しようとすると、下地枠規制片１７０の幅方向一方の端部が連結片３３の内面に当接することで、ガイドレール下地枠３の上方部位の外側への移動が規制される。ガイドレール下地枠３の上方部位の内側への変形や前後方向の変形も下地枠規制片１７０によって規制され得る。
【００２８】
図１１に示す態様では、ブラケット１の面部１０の下端部位の所定位置に下地枠規制金具１７´が取り付けられており、下地枠規制金具１７´にはブラケット１の下端から下方に延びる垂下状の下地枠規制片１７０´が形成されている。ブラケット１の下端とガイドレール下地枠３の上端は当接しており、下地枠規制片１７０´は、ガイドレール下地枠３の側辺３０の先端側部位３００と連結片３３と先端側見付片３２で囲まれた平面視コ字状の溝部内に先端側部位と連結片３３に垂直で先端側見付片３２に平行して位置している。下地枠規制片１７０´の幅方向一端は先端側部位３００に近接しており、他端は連結片３３に近接している。風圧を受けてガイドレール下地枠３の上端部位が外側に開くように変形しようとすると、下地枠規制片１７０´の幅方向一方の端部が連結片３３の内面に当接することで、ガイドレール下地枠３の上方部位の外側への移動が規制される。ガイドレール下地枠３の上方部位の内側への変形や前後方向の変形も下地枠規制片１７０´によって規制され得る。
【００２９】
ブラケット１の面部１０の下縁とガイドレール下地枠３の上端とは当接しており（図１０、図１１参照）、ブラケット１の面部１０とガイドレール下地枠３の側辺３０は同一垂直面上に位置している（図４、図６参照）。ブラケット１の面部１０の外面の下端には、ブラケット１の下縁とガイドレール下地枠３の上端に跨るようにカバープレート２０が設けてあり、カバープレート２０によって、ブラケット１の面部１０の下縁とガイドレール下地枠３の上端の当接部を塞いでいる。カバープレート２０は、ブラケット１の面部１０の下縁とガイドレール下地枠３の上端の当接部に形成し得る防火上不利な隙間を塞ぐことができる。
【００３０】
カバープレート２０は横長のプレートであり、ブラケット１の面部１０の下縁とガイドレール下地枠３の上端の当接部の略全幅に亘って覆うと共に、さらに、ガイドレール４の上端部位まで延びている。本実施形態では、ブラケット１の前側下面１５は、ブラケット１の面部１０の下縁とガイドレール下地枠３の上端の当接部よりも下方に位置しており、カバープレート２０の下縁は、ブラケット１の前側下面１５と略同じ高さに位置する。カバープレート２０は、ブラケット１に被着されるサイドキャップ８によって隠蔽され、外部に露出することがない。カバープレート２０は、左右のブラケット１の下縁とガイドレール下地枠３の上端に跨るように左右両側に設けられる。
【００３１】
下枠６は、開口部の幅方向に延びる長尺枠体であって、図１３に示すように、下枠６は、外壁Ｗから離間する方向に下向き傾斜状に延びる上面６０と、上面６０の先端の垂下辺６１、底辺６２、立ち上がり辺６３と、上面６０の基端側で上方に延びる基端側上辺６４と、上面６０の基端側で下方に延びる基端側下辺６５と、上面６０の下面と基端側下辺６５を連結する傾斜状の連結辺６６と、からなる。下枠６の先端側には上面６０の先端の垂下辺６１、底辺６２、立ち上がり辺６３から凹部が形成されており、開口部全閉時にはシャッターカーテン５の下端の座板５１の下方部位が下枠６の先端側の凹部にあいじゃくり状に受け入れられる。
【００３２】
図２に示すように、下枠６は、基端側上辺６４、基端側下辺６５を外壁Ｗに当接させた状態で、基端側上辺６４を螺子６７で外壁Ｗに固定することで取り付けられている。基端側上辺６４が外壁Ｗに当接した状態において、基端側下辺６５の裏面と外壁Ｗの間には隙間（空間）が形成されており、基端側下辺６５の裏面には難燃性ないし不燃性の熱膨張耐火部材６８（図１３参照）が下枠６の幅方向に亘って設けてある。
【００３３】
熱膨張耐火部材６８は、幅方向に延びる長尺状の板体ないしシート体であり、窓開口部全閉状態において、火災時に熱膨張耐火部材６８が所定温度以上に加熱されると、熱膨張耐火部材６８は発泡・膨張し、下枠６の熱変形等に伴って基端側部位と外壁Ｗとに形成され得る隙間を開口高に亘って閉塞し、下枠６と外側Ｗとの間からの火の回りを防止して下枠６の基端側部位の防火性能を確保する。
【００３４】
図３、図１７に示すように、シャッターケース７は、上面７０と、上側前面７１と、下側前面７２と、下面７３とを備え、ブラケット１の外形に沿った断面形状となっている。本実施形態では、シャッターケース７は、上面７０と上側前面７１からなる上側の第１部分（上板）７Ａと、下側前面７２と下面７３からなる下側の第２部分（下板）７Ｂとから分割可能に構成されている。シャッターケース７が設置された状態において、躯体に連結された上板７Ａに対して下板７Ｂが脱着可能となっており、下板７Ｂを上板７Ａから取り外すことで、いわゆる巻取シャフト２や開閉機Ｍのメンテナンスを行うようになっている。
【００３５】
上面７０は外壁Ｗから離間する方向に下向き傾斜状に延び、基端側には垂直状の立ち上がり辺７００が形成されている。上面７０は立ち上がり辺７００を外壁Ｗへ当接させた状態で螺子７０１によって外壁Ｗ（躯体）に連結される。上面７０の前端側は螺子７０２によってブラケット１の上面１１に固定されている。上側前面７１は垂直面であり、ブラケット１の上側前面１２にリベット７０３等の固定具に固定されている。上側前面７１の下端には内側（基端側ないし躯体側）に向かって折り返してなる「レ」状の被係止片７１０が形成されている。
【００３６】
下側前面７２は垂直面であり、上端には内側（基端側ないし躯体側）に向かって延びる水平片７２０、水平片７２０から垂直状に立ち上がる立ち上がり片７２１、立ち上がり片７２１の上端から外側に向かって折り返してなる逆「レ」状の係止片７２２が形成されている。下面７３は水平面であり、躯体側の端部には立ち上がり片７３０が形成されている。下板７Ｂは、係止片７２２を上板７Ａの被係止片７１０に引っ掛けることで、上板７Ａから吊持させ、下板７Ｂの下面７３をブラケット１の前側下面１５に下側から当接させた状態でブラケット１にサイドキャップ８を被着させ、ブラケット１の前側下面１５を覆うサイドキャップ８の下縁部８５から螺子８５２に連結されている。上面７０において、躯体に螺子７０１で固定され、ブラケットの上面１１に螺子７０２で固定された上板７Ａに対して、下板７Ｂの上側部位を係止させ、下側部位をブラケット１に固定することで、シャッターケース７を形成するようになっている。
【００３７】
左右のブラケット１の面部１０の前側かつ上側間には上側ケースアングル材７４（図３参照）が設けてあり、シャッターケース７の上面７０の先端側部位が支持されている。本実施形態では、下側ケースアングル材は設けられておらず、シンプルな構造となっている。開閉機Ｍの近傍にケースアングル材が無いので、開閉機Ｍのメンテナンス性が向上する。
【００３８】
シャッターケース７は、さらに、裏面ケース７５を備えている。裏面ケース７５はシャッターケース７の基端側に位置して外壁Ｗに近接して沿って延びる後面７５０（図示の態様では、側面視傾斜状に延びている）と、後面７５０の上端から傾斜状に延びる上面７５１と、後面７５０の下端の水平状の下面７５２と、下面７５２の先端の立ち上がり辺７５３を備えている。上面７５１の幅方向両端部は、ブラケット１の上端の上面１１に連結されており、下面７５２の幅方向両端部は、ブラケット１の下端の基端側下面１７に連結されている。裏面ケース７５の下面７５２には、開閉機Ｍの他端の支持部２２が設けられ、また、ＨＥＭＳ電源装置２３が設けられる。
【００３９】
図１４に示すように、サイドキャップ８は、ブラケット１に被着された状態で上下方向かつ前後方向に延びる面部８０と、ブラケット１の周縁及びシャッターケース７の幅方向両端の外面を覆う上側縁部８１、上側前縁部８２、前側凹部８３、下側前縁部８４、前側下縁部８５、後側下縁部８６、外壁Ｗに近接する後縁部８７を備えている。
【００４０】
サイドキャップ８の面部８０の内側には、上下に離間して上側係止片８００、下側係止片８０１が形成されており、上側係止片８００、下側係止片８０１をそれぞれブラケット１の上側係止片１００、下側係止片１０１にスライド係止させることで、サイドキャップ８はブラケット１に被着される。サイドキャップ８の面部８０の内側には縦横方向に延びる補強リブ８０２が形成されている。本実施形態では、サイドキャップ８をブラケット１に被着した時に、補強リブ８０２の先端縁がブラケット１の面部１０に当接するようになっている。
【００４１】
サイドキャップ８の前側かつ下側に位置する部位は、当該サイドキャップ８の面部８０及び縁部の一部（前側凹部８３、下側前縁部８４、下縁部８５）を形成する分割部９となっており、分割部９は、分割部９以外の本体部８´に対して着脱可能に構成されている。すなわち、サイドキャップ８は、本体部８´と本体部８´に着脱可能な分割部９とから構成されている。
【００４２】
図１５に示すように、本体部８´は、サイドキャップ８の前側かつ上側に位置する前側部位８Ａと、前側部位８Ａ以外の後側部位８Ｂとからなり、前側部位８Ａの下方かつ後側部位８Ｂの下側部位の前方の空間（切り欠き部位）に分割部９が脱着可能に取り付けられる。本体部８´は、面部８０から分割部９を除いた部位である面部８０´を備え、サイドキャップ８の上側縁部８１、上側前縁部８２、後側下縁部８６、後縁部８７を有している。
【００４３】
本体部８´の前側部位８Ａは、面部８０´の前側部位と、上側縁部８１の前側部位と、上側前縁部８２と、下端部８８とを備えている。上側縁部８１の基端側には垂直状に延びる立ち上がり辺８１０が一体形成されており、上側縁部８１の前方部位にはシャッターケース７の上板７Ａの上面７０を固定する螺子７０２の孔部８１１が形成されている。
【００４４】
前側部位８Ａの下端部８８は、水平状の縁部８８０と、縁部８８０の内面から下方に突出する突片８８１とを備えている。突片８８１の側面（面部）には、孔部を備えた筒状部８８２が内側に突成されている。本実施形態では、筒状部８８２の先端縁と補強リブ８０２の先端縁は同一面上に位置するようになっている（図１５参照）。サイドキャップ８をブラケット１に被着した状態では、筒状部８８２がブラケット１の面部１０の外面に、筒状部８８２の孔部が面部１０に形成した螺子孔８８４（図３参照）に一致して当接するようになっており、筒状部８８２の孔部から差し入れた螺子８８３によって、前側部位８Ａの下端の突片８８１をブラケット１の面部１０に固定する（図１８左図参照）。サイドキャップ８の本体部８´の前側部位８Ａの下端（分割部９の上端との接続部）をブラケット１の面部１０に固定することで、前側部位８Ａの下端が外側に開くように変形することが防止され、サイドキャップ８が折れるように変形（前側部位８Ａと分割部９がく字状に変形）することを防止する。
【００４５】
本体部８´の後側部位８Ｂは、面部８０´の後側部位と、上側縁部８１の後側部位と、面部８０´の下側部位の前端部８９と、後側下縁部８６と、後縁部８７を備えている。後側部位の前端部８９は、縦方向の補強リブの１つによって形成された垂直状の端縁８９０と、端縁８９０から前方に突成された薄肉の縁部８９１とを備えている。
【００４６】
図１６に示すように、分割部９は、面部８０の一部を形成する分割面部９０を備えており、サイドキャップ８の前側凹部８３、下側前縁部８４、前側下縁部８５を有している。分割面部９０は、上端部９１と、後端部９２と、前端部（前側凹部８３、下側前縁部８４）、分割下縁部（前側下縁部８５）とを備えている。分割部９が本体部８´に装着された状態において、分割面部９０の上端部９１の縁部９１０の上面が本体部８´の前側部位８Ａの下端部８８の縁部８８０の下面に当接し、分割面部９０の後端部９２の内面が本体部８´の後側部位８Ｂの前端部８９の縁部８９１の外面に当接する。
【００４７】
図１６、図１８右図に示すように、分割部９の上端部９１は、水平状に延びる縁部９１０と、縁部９１０から上方に突出する突片９１１とを備えている。分割面部９０の上端部位において、前側凹部８３に対応する高さに位置する上側部位９１２は、分割面部９０に対して内側へ凹んだ部位となっており、上側部位９１２の上端が縁部９１０となっており、突片９１１は上側部位９１２の内面から上方に突出している。突片９１１は楔形状を備えており、基端側には縁部９１０に近接して係止部９１１０が形成されている。
【００４８】
図６、図１８右図に示すように、分割部９が本体部８´に装着された状態において、分割部９の上端部９１に形成された突片９１１が本体部８´の前側部位８Ａの内側（縁部８８０の内面）に当接し、本体部８´の前側部位８Ａの下端部８８に形成された突片８８１が分割部９の内側（上側部位９１２の内面）に当接する。分割部９が本体部８´に装着された状態において、突片９１１の係止部９１１０が前側部位８Ａの下端部８８の縁部８８０に係止するようになっている。分割部９が本体部８´に装着された状態において、サイドキャップ８の側面（面部８０の外面）には分割部９の上側部位９１２によって側面視水平状の凹部８３´が形成されており、凹部８３´は、サイドキャップ８の側面（面部８０の外面が形成する垂直面）に対して凹んだ部位であり、サイドキャップ８の前側凹部８３と同じ高さ幅を備えており、前側凹部８３、凹部８３´がサイドキャップ８の側面から前面に亘って連続状に形成されている。
【００４９】
分割部９の分割下縁部（前側下縁部８５）の前側には孔部８５０が形成されている。サイドキャップ８がブラケット１に被着された状態において、孔部８５０を通る螺子８５２によって、分割部９及び下ケース７Ｂの下面７３をブラケット１の前側下面１５に固定する。
【００５０】
分割下縁部（前側下縁部８５）の後側は幅狭となっており、後端には上方へ突出する係止突片８５１が形成されている。本体部８´の後側部位８Ｂの前端面８９の下端には、垂直状の端縁８９０の下端と後側下縁部８６の前端との間に位置して係止受部８９２が形成されており、分割部９が本体部８´に装着される時に、分割部９の係止突片８５１が本体部８´の係止受部８９２に嵌合し、分割部９の係止突片８５１の外側の縁部８５１０が分割部８´の面部８０´の内面に当接することで、本体部８´に対して分割部９が位置決め固定される（図１９参照）。
【００５１】
上述のように構成された分割部９を備えたサイドキャップ８において、巻取シャフト２や開閉機Ｍのメンテナンスを行う時には、サイドキャップ８から分割部９を取り外し、次いで、シャッターケース７の上板７Ａから下板７Ｂを取り外せばよい。より具体的には、螺子８５２を取り外すことで、分割部９の分割下縁部（前側下縁部８５）のブラケット１の前側下面１５に対する固定を解除することができ、サイドキャップ８の本体部８´から分割部９を引き抜いて取り外すことができる。螺子８５２を取り外すことで、下板７Ｂのブラケット１の前側下面１５に対する固定を解除することができ、下板７Ｂの上側の上板７Ａの係止状態を解除することで、下板７Ｂを取り外すことができる。
【００５２】
本実施形態では、サイドキャップ８の前側かつ下側に位置する部位を、サイドキャップ８の面部８０及び前側凹部８３、下側前縁部８４、下縁部８５を形成する分割部９とし、分割部９を本体部８´に対して着脱可能に構成したので、図２０に示すような、サイドキャップ８の上側縁部８１や上側前縁部８２が軒天井Ｃ内に位置するような納まりにおいても、分割部９を取り外すことによって、巻取シャフト２や開閉機Ｍのメンテナンスを行うことが可能である。
【００５３】
前側凹部８３は、上側前縁部８２、下側前縁部８４が形成する垂直面に対して凹んだ部位であり、垂直状の底片８３０と、底片８３０の下端から下側前縁部８４の上端に向かって水平に延びる下側水平片８３１と、底片８３０の上端から下側水平片８３１と平行状に延びる上側水平片８３２とからなり、分割部９を本体部８´に装着した状態において、上側水平片８３２の先端は、本体部８´の上側前縁部８２の下端の内面に当接しており、この当接部（接続部）は前側凹部８３の上端部位（上側水平片８３２）と同一高さ（上側前縁部８２の下端と上側水平片８３２の下面が同面）にあることから外部から目立たない。また、分割部９を本体部８´に装着した状態において、分割面部９０の上端部９１の縁部９１０の上面が本体部８´の前側部位８Ａの下端部８８の縁部８８０の下面に当接しているが、この当接部（接続部）は凹部８３´の上端部位（縁部８８０）と同一高さで水平ラインを形成することから外部から目立たない。本実施形態では、上側前縁部８２の下端、前側凹部８３の上側水平片８３２の下面、分割面部９０の上端部９１の縁部９１０の上面、本体部８´の前側部位８Ａの下端部８８の縁部８８０の下面が同一水平面に位置している。したがって、本実施形態では、サイドキャップ８を分割可能に構成するものでありながら、分割部９と本体部８´の接続部が凹部８３、８３´の上端部位に位置しており、接続部が目立たないのでサイドキャップ８の外観を損ねることがなく、意匠上有利である。
【００５４】
図１、図４に示すように、ガイドレール下地枠３と外壁Ｗとの固定部位に位置して、高さ方向に延びる長尺状のカバー体２４が装着されている。カバー体２４は、ガイドレール下地枠３の第１基端側見付辺３４を外壁Ｗに固定する螺子３８を覆うように高さ方向に亘って設けられる。カバー体２４は、シャッターが後付けされる場合に使用され、シャッターが先付けされる場合には、壁を仕上げる際に螺子３８が壁に覆われるので使用されない。カバー体２４はガイドレール下地枠３の側辺３０及びサイドキャップ８の本体部８´の側面（面部８０´）に沿って延びており、側辺３０に固定した取付片２５に対して取り付けられており、サイドキャップ８に対応する部位２４´は一部切り欠かれていると共に、面部８０´の外面の後側の凹部２６内に沿って延びている。
【符号の説明】
【００５５】
１  ブラケット
２  巻取シャフト
８  サイドキャップ
８´  本体部
８Ａ  前側部位
８Ｂ  後側部位
８０  面部
８０´  本体部８´の面部
８１  上側縁部
８２  上側前縁部
８３  前側凹部（分割部の前端部）
８３´  凹部
８４  下側前縁部（分割部の前端部）
８５  前側下縁部（分割下縁部）
８６  後側下縁部
８５１  係止突片
８５２  螺子
８８  前側部位８Ａの下端部
８８１  突片（下方突片）
８９  後側部位８Ｂの前端部
８９２  係止受部
９  分割部
９０  分割面部
９１  上端部
９１０  縁部
９１１  突片（上方突片）
９２  後端部
【図１】
2019116776.tif 000003
【図２】
2019116776.tif 000004
【図３】
2019116776.tif 000005
【図４】
2019116776.tif 000006
【図５】
2019116776.tif 000007
【図６】
2019116776.tif 000008
【図７】
2019116776.tif 000009
【図８】
2019116776.tif 000010
【図９】
2019116776.tif 000011
【図１０】
2019116776.tif 000012
【図１１】
2019116776.tif 000013
【図１２】
2019116776.tif 000014
【図１３】
2019116776.tif 000015
【図１４】
2019116776.tif 000016
【図１５】
2019116776.tif 000017
【図１６】
2019116776.tif 000018
【図１７】
2019116776.tif 000019
【図１８】
2019116776.tif 000020
【図１９】
2019116776.tif 000021
【図２０】
2019116776.tif 000022